(57)【特許請求の範囲】
【請求項１】
横枠内に設けたストッパ部材と、指挟み防止部材と、指挟み防止部材を障子に固定する固定ブラケットと備え、ストッパ部材は磁石を有し、指挟み防止部材は、障子見込み方向の軸周りを回転自在に設けてあり、軸回りの重量の偏りにより回転軸よりも障子閉側が横枠内に突出する方向に付勢してあり且つ回転軸よりも障子閉側にストッパ部材の磁石と反発する磁石を有し、障子が所定速度よりも遅く閉まると指挟み防止部材の障子閉側がストッパ部材の磁石の反発力を受けて障子側に回動することによりストッパ部材を通過し、障子が所定速度より早く閉まるときに、指挟み防止部材の障子閉側が障子側に回動する前にストッパ部材に衝突することを特徴とする引戸サッシ。
【発明の詳細な説明】
【技術分野】
【０００１】
本発明は、指挟み防止機能を備えた引戸サッシに関する。
【背景技術】
【０００２】
特許文献１には、ドア本体の見付け面に磁石を取付け、ドアの上枠に先端が上下に揺動動自在な指挟み防止部材を設けた引戸サッシにおいて、磁石を固定したブラケットが上下方向の長孔を有し、磁石の取付け位置を上下に調整自在なことが開示されている。
【先行技術文献】
【特許文献】
【０００３】
【特許文献１】特開平７−３１７４２４号公報
【発明の概要】
【発明が解決しようとする課題】
【０００４】
一方、引戸サッシの種類によっては横枠と障子との間の間隔が異なる場合があり、また同種のサッシであっても建付けによっては横枠と障子との間の間隔が異なる場合がるので、指挟み防止部材の取付け位置の調整が必要になる。
しかし、特許文献１では、指挟み防止部材の上下位置の調整ができないという問題がある。
【０００５】
そこで、本発明は、引戸障子に固定する指挟み防止部材の上下位置の調整を可能とすることにより、横枠と障子との間隔が異なる引戸サッシであっても同種の指挟み防止部材が使用できると共に指挟み防止部材の建付け調整が容易な引戸サッシの提供を目的とする。
【課題を解決するための手段】
【０００６】
請求項１に記載の発明は、横枠内に設けたストッパ部材と、指挟み防止部材と、指挟み防止部材を障子に固定する固定ブラケットと備え、ストッパ部材は磁石を有し、指挟み防止部材は、障子見込み方向の軸周りを回転自在に設けてあり、軸回りの重量の偏りにより回転軸よりも障子閉側が横枠内に突出する方向に付勢してあり且つ回転軸よりも障子閉側にストッパ部材の磁石と反発する磁石を有し、障子が所定速度よりも遅く閉まると指挟み防止部材の障子閉側がストッパ部材の磁石の反発力を受けて障子側に回動することによりストッパ部材を通過し、障子が所定速度より早く閉まるときに、指挟み防止部材の障子閉側が障子側に回動する前にストッパ部材に衝突することを特徴とする引戸サッシである。
【発明の効果】
【０００７】
請求項１に記載の発明によれば、障子を閉じるときの指挟みを防止できる。
【図面の簡単な説明】
【０００８】
【図１】本実施の形態に係る引戸サッシの内障子を所定速度よりも速く閉めた状態を室外側から見た縦断面図である。
【図２】図１に示す内障子を遅く閉めた状態であって室外側から見た縦断面図である。
【図３】図１のＡ−Ａ断面図である。
【図４】図３のＢ−Ｂ断面図である。
【図５】内障子の指挟み防止具を分解して示す横断面図である。
【図６】本実施の形態に係る引戸サッシであって外障子を所定速度よりも速く閉めた状態を室内側から見た縦断面図である。
【図７】図６のＡ−Ａ断面図である。
【図８】図７のＢ−Ｂ断面図である。
【図９】外障子の指挟み防止具を分解して示す横断面図である。
【図１０】本実施の形態に係る引戸サッシの横断面図である。
【図１１】本実施の形態に係る引戸サッシを室内側から見た正面図である。
【図１２】ストッパ部材と横枠との間にスペーサを装着した縦断面図である。
【発明を実施するための形態】
【０００９】
以下に、添付図面を参照して本発明の実施の形態を説明する。
本実施の形態に係る引戸サッシ１は、図１０及び図１１に示すように引き違いサッシであり、図１１に示すように、上枠（横枠）３の左右に各々ストッパ部材５、５が取付けてあり、内障子７と外障子９の各上框（横框）１１に指挟み防止部材１３を有する指挟み防止具１５、１６が取付けてあり、内障子７と外障子９とを閉じるときの指挟み防止が図られている。図１０に示すように、内障子７の指挟み防止具１５は内障子７の室外側見付け面に取付けてあり、外障子９の指挟み防止具１６は外障子７の室内側見付け面に取付けてある。
図３〜図５に示すように、内障子５の指挟み防止具１５は、本体部１７と、カバー１９と、固定ブラケット２１とから構成されており、本体部１７には軸２３が設けてあり、指挟み防止部材１３が障子見込み方向の軸２３に軸周りを回転自在に取付けてある。本体部１７と固定ブラケット２１とはリベット３１で固定されている。
【００１０】
図１及び図２に示すように、指挟み防止部材１３は、軸２３よりも障子閉側に磁石２５を有し、軸２３の障子開側に錘２７が設けてあり、軸２３回りの重量の偏りにより回転軸２３よりも障子閉側の磁石２５が横枠３に向けて突出する方向に付勢してある。磁石２５は横枠３側が後述するストッパ部材５の磁石２９と反発する磁極を有している。錘２７は、金属であり指挟み防止部材１３に圧入してある。
本体部１７と固定ブラケット２１とには、各々同じ位置に上下の長孔３３、３４が形成されており、固定ブラケット２１は内障子７の竪框１２と横框１１とに跨って配置してあり、一方の長孔３３は竪框１２に位置し、他方の長孔３４は横框１１に位置して、各長孔３３、３４は室外側から止めるねじ３５で内障子７の室外側見付け面に固定してある
図１及び図１０に示すように、指挟み防止具１５の障子開き側には、障子ストッパ３７が設けてあり、障子ストッパ３７は弾性材でできており、ねじで内障子７の室外側見付け面に固定してある。
【００１１】
ストッパ部材５は、図１に示すように、横枠３の見込み面にねじ４１で固定してあり、障子開側に磁石２９が設けてあり、磁石２９よりも障子閉じ側で且つ下側の位置に指挟み防止部材１３との係合部材４５が取付けてある。
係合部材４５は、弾性体からなる衝撃吸収材であり、ストッパ部材５を横枠３に止めるねじ４１でストッパ部材５に固定してあり、ねじ４１を外すことにより交換可能になっている。
【００１２】
次に、図６〜図１０を参照して、外障子９の指挟み防止具１６について説明するが、内障子７の指挟み防止具１５と同一の作用効果を奏する部分には同一の符号を付することによりその部分の詳細な説明を省略し、内障子７の指挟み防止具１５と異なる点のみを説明する。
外障子の指挟み防止具１６は、図６及び図７に示すように、固定ブラケット２１が本体部１７よりも戸先側に突出しており、突出部分４９に一方の長孔３３を２つ上下に設けている。また、この一方の長孔３３と長孔３３に止めたねじ３５とは、図１０に示すように、遮蔽部材５１で室外側から隠している。尚、図６及び図７では遮蔽部材５１は省略して示している。
【００１３】
次に、ストッパ部材５、５及び指挟み防止具１５、１６の取付け、作用、効果について説明する。
図１又は図６に示すように、内障子７と外障子９とに対応する各ストッパ部材５、５は、横枠３の見込み面に下からねじ４１で固定する。このとき、ストッパ部材５、５を止めるねじ４１の一つで係合部材４５も同時に固定する。
ストッパ部材５の取付けにおいて、必要に応じて、図１２に示すように、横枠３との間にスペーサ５２を介在させて上下位置を調整しても良い。
一方、図１に示すように、内障子７には室外側見付け面に、カバー１９を外した指挟み防止具１５を横框１１と竪框１２とに跨って配置し、一方及び他方の長孔３３、３４にねじ３５を挿通してねじを止めするが、ねじ３５を少し緩めた状態にして、固定ブラケット２１及び本体部１７を上下に移動して、指挟み防止部材１３の上下位置を調整した後、ねじ３５を締めて固定する。その後、本体部１７にカバーを装着する。
【００１４】
外障子９への指挟み防止具１６の取付けも、指挟み防止具１５の場合と同様に、外障子９の室内側見付け面に、カバー１９を外した指挟み防止具１６を横框１１と竪框１２とに跨って配置し、一方及び他方の長孔３３、３４にねじ３５を挿通してねじを止め、ねじ３５を少し緩めた状態にして、本体部１７及び固定ブラケット２１を上下に移動して、指挟み防止部材１３の上下位置を調整した後、ねじ３５を締めて固定する。その後、本体部１７にカバー１９を装着し、戸先側の突出部４９に遮蔽部材５１を取付ける。尚、図７及び図８に示すように、他方の長孔３４に挿通するねじ３５は、横框１１を貫通して裏板４０に固定している。
また、内障子７には、指挟み防止具１５の障子開側に障子ストッパ３７をねじ固定する。
【００１５】
ここで、内障子７の指挟み防止動作について説明する。
図１に示すように、内障子７が所定速度（磁石の反発力が作用する速度）より早く閉まると、指挟み防止部材１３の障子閉側が内障子７に向けて回動する前にストッパ部材５の係合部４５に衝突して、内障子７が閉じるのを規制する。これにより、竪枠４と内障子７との間に指が挟まれるのを防止する。
一方、図２に示すように、内障子７が所定速度よりも遅く閉まると指挟み防止部材１３の障子閉側がストッパ部材５の磁石２９の反発力を受けて内障子７側に回動することによりストッパ部材５を通過して閉じる。
外障子９の指挟み防止も同様にして行われるので、その動作は省略する。
【００１６】
一方、図１０に示すように、内障子７が閉じた位置にあるときに、外障子９を開いたときには、外障子９の指挟み防止具１６が内障子７の召合せ框１４に衝突する前に、外障子９の戸尻框１８が障子ストッパ３７に衝突する。
【００１７】
本実施の形態によれば、指挟み防止具１５、１６の固定ブラケット２１には、上下方向の長孔３３、３４が形成してあり、長孔３３、３４に挿通するねじ３５で障子７、９に固定してあるので、ねじ３５を緩めて固定ブラケット２１を上下に移動することにより指挟み防止部材１３の上下位置を容易に調整できる。これにより、引戸サッシの種類が異なる為に横枠３と障子７との間隔が異なる場合であっても、同種の指挟み防止具１５、１６（指挟み防止部材１３）が使用できると共に指挟み防止部材１３の建付け調整が容易にできる。
外障子９を開いたときに、外障子９が内障子７の指挟み防止具１５に衝突する前に障子ストッパ３７に衝突するから、指挟み防止具１５が損傷するのを防止できる。
【００１８】
指挟み防止部材１３は障子見付け面に固定するので、障子７，９に後付が容易にできる。また、必要に応じて固定ブラケット２１を変えれば、各種の引戸サッシに取付けができる。
本実施の形態によれば、固定ブラケット２１は、障子７、９の横框１１と竪框１２に跨って固定しているので、障子の組立て強度を高めることができる。
錘２７は指挟み防止部材１３に圧入しているので、錘２７の重量調整が容易にできる。
ストッパ部材５に取付けた係合部材４５には、衝撃吸収部材を用いているので、指挟み防止部材１３が衝突したときの衝撃を緩和できる。
係合部材４５はストッパ部材５にねじ４１で止めているので、ねじ４１を外すことにより経時劣化等による交換が容易にできる。
ストッパ部材５は、図１２に示すように、横枠３との間にスペーサ５２を介在させることにより、指挟み防止部材１３との上下位置調整が容易にできる。
指挟み防止部材１３は、重量の偏りにより横枠側に付勢しており、ばねを使用していないので、ばねの作動不良等がなく、耐久性が良い。
【００１９】
本発明は、上述した実施の形態に限らず、本発明の要旨を逸脱しない範囲で種々変形可能である。
例えば、請求項１に記載の引戸サッシ１は引き違いサッシに限らず、片引戸であっても良い。
横枠３は上枠に限らず下枠とし、横框６を下框としても良い。
横枠３と固定ブラケット２１との間に配置するスペーサ５２（図１２参照）は、必要に応じて複数枚配置しても良い。
障子ストッパ３７は、外障子９に設けても良い。
ストッパ部材５に油圧や減速歯車等を用いたダンパーを設けて指挟み防止部材１３が衝突したときの衝撃を緩和しても良い。
指挟み防止部材１３は、指挟み防止具１５、１６と共に横框６の内部に設けて、長孔３３、３４に挿通するねじ３５を横框６の外部から挿通して横框６の内側見付面に固定するものであっても良い。
【符号の説明】
【００２０】
１        引戸サッシ
３        上枠（横枠）
５        ストッパ部材
７        内障子
９        外障子
１１      上框（横框）
１３      指挟み防止部材
２１      固定ブラケット
２３      軸
２５      磁石（指挟み防止部材の磁石）
２７      錘
２９      磁石（ストッパ部材の磁石）
３３、３４    長孔
３７      障子ストッパ
【図１】
0005571735.tif 000002
【図２】
0005571735.tif 000003
【図３】
0005571735.tif 000004
【図４】
0005571735.tif 000005
【図５】
0005571735.tif 000006
【図６】
0005571735.tif 000007
【図７】
0005571735.tif 000008
【図８】
0005571735.tif 000009
【図９】
0005571735.tif 000010
【図１０】
0005571735.tif 000011
【図１１】
0005571735.tif 000012
【図１２】
0005571735.tif 000013